(57)【要約】【課題】乳房収納部３へ乳房１５を入出するための乳房入出口１７が開口した前面板７を有するガントリ２と、ガントリ２内に乳房収納部３を挟んで対向して設けられた放射線発生管８及び放射線検出器１１と、乳房収納部３の内側を通る回転軸Ｄの周りに放射線発生管８及び放射線検出器１１を同一角速度で回転させる回転駆動部とを有するマンモ断層撮影装置において、放射線の半陰影が広がることによる被検者Ｐへの放射線の漏洩と、放射線発生管８の位置ずれに伴う放射線検出器１１上での放射線照射領域１３の位置ずれを抑制する。【解決手段】乳房収納部３と放射線放出部１０との間の乳房収納部３寄りに、回転軸Ｄの周りを放射線発生管８及び放射線検出器１１と同期して回転するコリメータ１２を設ける。【選択図】図２
2015097693.tif 000002
【特許請求の範囲】
【請求項１】
乳房収納部へ乳房を入出するための乳房入出口が開口した前面板を有するガントリと、
前記ガントリの内側に設けられ、放射線放出部を有する放射線発生管と、
前記ガントリの内側に、前記乳房収納部を挟んで前記放射線放出部と対向して設けられた放射線検出器と、
前記乳房収納部の内側を通って、前記乳房収納部への乳房の入出方向に延びる回転軸の周りに、前記放射線発生管及び前記放射線検出器を同一角速度で同方向に回転させる回転駆動部とを有し、
前記放射線放出部から前記乳房収納部を介して前記放射線検出器へ向けて放射線を照射するマンモ断層撮影装置であって、
前記乳房収納部と前記放射線放出部との間の前記乳房収納部寄りに設けられ、前記回転軸の周りを前記放射線発生管及び前記放射線検出器と同期して回転するコリメータを有することを特徴とするマンモ断層撮影装置。
【請求項２】
前記コリメータは、前記前面板と対向する端部を有していることを特徴とする請求項１に記載のマンモ断層撮影装置。
【請求項３】
前記乳房入出口の周囲を囲んで、少なくとも前記コリメータの回転経路よりも前記放射線放出部の回転経路の側の前記前面板の内面に環状の放射線遮蔽体が設けられており、前記コリメータの回転経路において、前記コリメータの前記端部が、前記放射線遮蔽体の表面より前記前面板の側に入り込んでいることを特徴とする請求項２に記載のマンモ断層撮影装置。
【請求項４】
前記コリメータの前記端部は、全回転経路に亘り前記放射線遮蔽体の表面より前記前面板の側に入り込んでいることを特徴とする請求項３に記載のマンモ断層撮影装置。
【請求項５】
前記放射線遮蔽体の内周面が、前記放射線遮蔽体の内径を前記ガントリの内方に向かって徐々に拡径させるテーパ面を形成している一方、前記コリメータが前記回転軸の周りの回転方向に、回転外周側に凸に湾曲しており、しかも前記コリメータの前記前面板と対向する側の端面が前記テーパ面と同方向に傾斜した傾斜面で、前記テーパ面と対向していることを特徴とする請求項３または４に記載のマンモ断層撮影装置。
【請求項６】
前記コリメータの曲率中心が前記回転軸と一致していることを特徴とする請求項５に記載のマンモ断層撮影装置。
【請求項７】
前記コリメータが区画している放射線透過部の前記前面板の側が開放されていることを特徴とする請求項１乃至６のいずれか一項に記載のマンモ断層撮影装置。
【請求項８】
前記放射線遮蔽体が、前記コリメータの回転経路よりも前記乳房入出口の側の前記前面板の内面にも設けられており、前記コリメータの回転経路よりも前記乳房入出口の側に設けられた前記放射線遮蔽体に、前記ガントリの内方に突出した環状の突出部が設けられていることを特徴とする請求項１乃至７のいずれか一項に記載のマンモ断層撮影装置。
【発明の詳細な説明】
【技術分野】
【０００１】
本発明は、コンピュータ断層撮影（ＣＴ撮影）を行う断層撮影装置に関し、特に乳房の撮影に用いるマンモ断層撮影装置（マンモＣＴ装置）に関する。
【背景技術】
【０００２】
従来、触診と超音波診断を用いて乳がん検査を行っていたが、ＣＴ撮影を使った三次元（３Ｄ）画像により乳房撮影を行なうことができるマンモＣＴ装置が開発されてきた。
【０００３】
特許文献１は、マンモＣＴ装置の一例を開示している。特許文献１に開示されたマンモＣＴ装置は、乳房入出口が開いた天板と、乳房入出口の周りを水平方向に回転する測定装置部と、Ｘ線発生装置と、ディテクタとで構成されている。ＣＴ撮影時、被検者は天板に俯せに寝そべり、乳房入出口から乳房収納部に乳房を挿入した状態で撮影が行なわれる。撮影は、Ｘ線照射領域を規定するコリメータを内蔵したＸ線発生装置とディテクタが乳房収納部内を通る回転軸の周りを回転しながら、所定角度位置ごとに行われ、各方向から見た被検体のＸ線透過画像を取得する。また、天板の下面にはＸ線の人体への漏洩を遮断するためのＸ線遮蔽板が取り付けられている。
【先行技術文献】
【特許文献】
【０００４】
【特許文献１】米国特許第６９８７８３１号明細書
【発明の概要】
【発明が解決しようとする課題】
【０００５】
特許文献１のようなマンモＣＴ装置においては、天板上面に被検者の胸骨を当てながら乳房を乳房入出口から乳房収納部に挿入する。これにより、乳房収納部に照射されるＸ線の照射エリア内に乳房が重なることで、ディテクタ上にＸ線透過像を投影し撮影することが可能となる。前述のマンモＣＴ装置では、胸骨側の乳房（付根部）も極力撮影可能となるように、Ｘ線照射エリアを天板側に近付ける必要がある。その一方で、前述のＸ線照射エリアから被検者側へのＸ線の漏洩を防止しなければいけない。
【０００６】
特許文献１におけるＸ線発生装置は、Ｘ線照射エリアを規定するコリメータを、Ｘ線発生装置の焦点近傍に一体に内蔵した構成となっている。しかし、Ｘ線発生装置に内蔵されたコリメータは、ディテクタから離れた位置に存在するため、Ｘ線照射領域よりも外側の広い範囲にＸ線の半陰影が生じてしまう。このため、Ｘ線発生装置に内蔵されたコリメータだけでは被検者へのＸ線の漏洩に繋がってしまう問題がある。また、特許文献１のコリメータのレイアウトでは、Ｘ線発生装置の僅かな位置ズレが生じても、コリメータで規定されたＸ線照射領域がＸ線検出器上で大きくずれてしまうという問題もある。
【０００７】
そこで本発明の目的は、Ｘ線に代表される放射線を用いたマンモＣＴ装置において、放射線の半陰影が広がることによる被検者への放射線の漏洩と、放射線発生装置の位置ずれに伴う放射線検出器上での放射線照射領域の位置ずれを抑制することである。
【課題を解決するための手段】
【０００８】
本発明は、上記目的のために、乳房収納部へ乳房を入出するための乳房入出口が開口した前面板を有するガントリと、
前記ガントリの内側に設けられ、放射線放出部を有する放射線発生管と、
前記ガントリの内側に、前記乳房収納部を挟んで前記放射線放出部と対向して設けられた放射線検出器と、
前記乳房収納部の内側を通って、前記乳房収納部への乳房の入出方向に延びる回転軸の周りに、前記放射線発生管及び前記放射線検出器を同一角速度で同方向に回転させる回転駆動部とを有し、
前記放射線放出部から前記乳房収納部を介して前記放射線検出器へ向けて放射線を照射するマンモＣＴ装置であって、
前記乳房収納部と前記放射線放出部との間の前記乳房収納部寄りに設けられ、前記回転軸の周りを前記放射線発生管及び前記放射線検出器と同期して回転するコリメータを有することを特徴とするマンモＣＴ装置を提供するものである。
【発明の効果】
【０００９】
本発明によれば、放射線発生管と同一角速度で回転するコリメータを、放射線放出部と乳房収納部との間の乳房収納部寄りに設けているので、放射線照射領域の規定を放射線検出器に近付けた位置で行うことができる。このため、半陰影の発生領域を狭くすることができると共に、放射線発生管とコリメータとの相対位置ズレにより生じる、放射線検出器に対する放射線照射領域のズレ量を小さく抑えることができる。
【図面の簡単な説明】
【００１０】
【図１】マンモ断層撮影装置（マンモＣＴ装置）の全体斜視図である。
【図２】本発明の第１の例のマンモＣＴ装置の断面図で、（ａ）は図１におけるＸ方向から見た断面図、（ｂ）は図１におけるＹ方向から見た断面図、（ｃ）はコリメータの拡大斜視図である。
【図３】図２（ａ）における放射線発生管からコリメータ周りの拡大図である。
【図４】本発明のマンモＣＴ装置の撮影システムの構成図である。
【図５】本発明の第２の例のマンモＣＴ装置の断面図で、（ａ）は図１におけるＸ方向から見た断面図、（ｂ）は図１におけるＹ方向から見た断面図、（ｃ）はコリメータの拡大斜視図である。
【図６】図５（ａ）における放射線発生管からコリメータ周りの拡大図である。
【図７】コリメータの他の例を示す斜視図である。
【図８】本発明の第３の例のマンモＣＴ装置の断面図で、（ａ）は図１におけるＸ方向から見た断面図、（ｂ）は図１におけるＹ方向から見た断面図、（ｃ）はコリメータの拡大斜視図である。
【図９】図８（ａ）における放射線発生管からコリメータ周りの拡大図である。
【発明を実施するための形態】
【００１１】
以下、図面を参照しながら本発明を実施するための形態について説明する。なお、以下に参照する図面において、同じ符号は同様の構成要素を示す。
【００１２】
〔第１の例〕
＜マンモＣＴ装置の概要＞
図１乃至図３に示されるように、マンモ断層撮影装置（マンモＣＴ装置）１は、内部に放射線源やコリメータ１２などが収納された部屋を構成するガントリ２を有している。また、ガントリ２の中心部に、被検者Ｐが乳房１５を挿入するための乳房収納部３を備えている。なお、４は支持部である。
【００１３】
ガントリ２は、乳房収納部３を囲む内周板５と、外周を囲む外周板６と、前面側で内周板５と外周板６とを接続する前面板７と、背面側を覆う不図示の背面板とを有する中空円盤状部材である。前面板７には、乳房収納部３へ乳房１５を入出するための乳房入出口１７が開口している。ガントリ２の内側には、放射線発生管８と、放射線検出器１１と、後述するコリメータとが回転板（不図示）に支持されており、ＣＴ撮影時に、回転駆動部１０１（図４参照）により三者一体で回転される構成となっている。この回転は、乳房収納部３の内側を通って、乳房収納部３への乳房１５の入出方向（Ｚ方向）に延びる回転軸Ｄ周りに行われる。放射線発生管８、放射線検出器１１及びコリメータ１２は同一角速度で回転されることになる。マンモＣＴ装置１での撮影時、被検者Ｐはガントリ２の前面板７の表面側から、乳房入出口１７から乳房収納部３へ乳房１５を挿入し、この姿勢を維持しながらＣＴ撮影を行う。なお、本例のマンモＣＴ装置１は、前面板７を縦にして設置し、前面板７の前に被験者Ｐが立って検査を受ける形式のものである。しかし、本発明に係るマンモＣＴ装置１は、前面板７を横にして設置して前面板７を背景技術で説明した天板とし、前面板７上に被験者が俯せに横たわって検査を受ける形式のものとすることもできる。この場合、内周板５を省略することも可能である。
【００１４】
＜放射線発生管＞
図２及び図３に示されるように、放射線発生管８は、透過型放射線発生管であり、電子線を発生させる電子銃９と、放射線放出部１０とを備えている。電子銃９としては、例えば熱フィラメントタイプの電子発生源を用いることができる。放射線放出部１０は、放射線透過性の支持基板上に、電子銃９からの電子線の照射により放射線を発生させるターゲット層を積層した透過型ターゲットを備えている。支持基板を構成する材料は、ターゲット層を支持できる強度を有し、ターゲット層で発生した放射線の吸収が少なく、かつターゲット層で発生した熱をすばやく放熱できるよう熱伝導率の高いものが好ましい。例えばダイアモンド、炭化シリコン、窒化アルミニウム等を用いることができる。ターゲット層を構成する材料は、融点が高く、放射線発生効率の高いものが好ましく、例えばタングステン、タンタル、モリブデン及びそれらの合金等を用いることができる。放射線発生管８は、回転駆動部１０１（図４参照）によって回転する不図示の回転板に支持されており、回転板の回転により、乳房収納部３への乳房１５の入出方向に延びる回転軸Ｄの周りに回転するものとなっている。
【００１５】
＜放射線検出器＞
図２及び図３に示されるように、放射線検出器１１は、乳房収納部３を挟んで放射線発生管８の放射線放出部１０と対向する位置に設けられている。本例における放射線検出器１１のセンサーエリアは、通常、後述するコリメータ１２などにより規定された放射線照射領域１３と一致するサイズである。本例でのセンサーエリアの形状は放射線照射領域１３の形状に合わせて四角形となっている。また、放射線検出器１１は、放射線発生管８と共に、回転駆動部１０１（図４参照）によって回転する不図示の回転板に支持されている。放射線検出器１１は、回転板の回転により、乳房収納部３への乳房１５の入出方向に延びる回転軸Ｄの周りに、放射線発生管８と同一角速度で回転するものとなっている。
【００１６】
＜コリメータ＞
図２及び図３に示されるように、放射線発生管８の放射線放出部１０と乳房収納部３との間の乳房収納部寄りに、放射線発生管８の放射線放出部１０から放射される放射線の照射領域１３を規定するコリメータ１２が配置されている。コリメータ１２は、放射線発生管８及び放射線検出器１１を支持している不図示の回転板に支持されており、ＣＴ撮影時に放射線発生管８及び放射線検出器１１と同期して同方向に回転する。
【００１７】
透過型ターゲットのターゲット層で発生した放射線は、ターゲット層と、ターゲット層を保持する支持基板を透過して外部に照射される。放射線発生管８の放射線放出部１０から放出される放射線の放出範囲は、放射線発生管８の放射線放出部１０に設けられた不図示の前方遮蔽体で規制されるものとなっている。放射線照射領域１３は、放射線放出部１０と乳房収納部３の間に設けたコリメータ１２で更に規定されたものとなっている。
【００１８】
放射線は、放射線検出器１１に向けて照射され、検出器１１上で略四角形になるようにコリメータ１２が区画している放射線透過部１２ｘにより照射領域１３が規定されて、放射線検出器１１上に到達する。この時、被検者Ｐの乳房１５が放射線照射領域１３に入った時は、乳房１５の放射線透過像が放射線検出器１１に到達し、乳房１５の内部に含まれる、乳腺、脂肪の透過像が得られる。コリメータ１２の材質としては、放射線の遮蔽能力を有する鉛、タングステン、タンタル、レニウムなどの重金属が適している。
【００１９】
本発明においてコリメータ１２とは、放射線発生管８の放射線放出部１０から放出された放射線の一部を遮って、放射線照射領域１３の外周の一部又は全周を規制する、放射線遮蔽性材料で構成された部材をいう。本例のコリメータ１２は、放射線遮蔽性材料で構成された第１の規定部材１２ａ、第２の規定部材１２ｂ、第３の規定部材１２ｃ及び第４の規定部材１２ｄで放射線透過部１２ｘを開口部として区画した平面ロ字形をなしている。また、コリメータ１２は、放射線発生管８とは別体で、乳房収納部３寄りに配置されているので、放射線発生管８と一体のコリメータ場合のように、乳房収納部３から離れた位置でコリメートした場合に生じやすい半陰影を小さくすることができる。同時に、放射線発生管８とコリメータ１２との相対位置ズレにより生じる、放射線検出器１１に対する放射線照射領域１３のズレ量を小さく抑えることができる。なお、コリメータ１２は、後述するように、平面コ字形や二字形などとすることもできる。
【００２０】
＜放射線遮蔽体＞
図２及び図３に示されるように、ガントリ２の前面板７の内側には、乳房入出口１７の周囲を囲んで、板状の放射線遮蔽体１４が設けられている。放射線遮蔽体１４は、乳房入出口１７と、放射線発生管８の回転に伴う放射線放出部１０の回転経路との間の前面板７に沿い、放射線照射領域１３と被検者Ｐとを隔離するように設けられている。放射線遮蔽体１４は、乳房入出口１７及びこれに連なる乳房収納部３に対応する中央部が打ち抜かれた環状をなしている。放射線遮蔽体１４は、放射線発生管８の放射線放出部１０から被検者Ｐへの放射線の直接照射や、コリメータ１２に放射線が当たった時に生じる散乱放射線などが被検者Ｐへ漏洩することを防止するためのものである。放射線遮蔽体１４の材質としては、放射線の遮蔽能力の高い鉛、タングステン、タンタル、レニウムなどの重金属が適している。また、放射線遮蔽体１４は、一般的には円環状であるが、楕円環状、矩形環状などとすることもできる。
【００２１】
放射線遮蔽体１４は、少なくとも、コリメータ１２の回転経路よりも放射線放出部１０の回転経路の側の前面板７の内面に配置することが好ましい。また、放射線遮蔽体１４は、乳房入出口１７と、放射線発生管８の回転に伴う放射線放出部１０の回転経路との間の前面板７の内面全体を覆って設けることがより好ましい。この放射線遮蔽体１４を前面板７の内面に配置することで、被験者Ｐへの余剰な放射線の照射を防止することができる。具体的には、放射線発生管８から被検者Ｐへ直接照射される放射線や、コリメータ１２に放射線が照射されることで発生する散乱放射線の被検者Ｐへの漏洩を防止することができる。
【００２２】
＜マンモＣＴ装置の撮影システム＞
図４は、本発明のマンモＣＴ装置の撮影システムの構成図である。
【００２３】
システム制御装置１００は、放射線発生管８とその駆動回路１０２を備えた放射線発生装置１０３と、放射線検出器１１と、回転駆動部１０１を連携制御する。駆動回路１０２は、システム制御装置１００の放射線管制御部１０８による制御の下に、放射線発生管８に各種の制御信号を出力する。システム制御装置１００の回転駆動制御部１０７は、放射線発生管８などを支持する回転板の回転位置を検出するための位置検出センサー１０４からの位置情報に基づき、回転駆動部１０１に駆動制御信号を出力する。この駆動制御信号により回転駆動部１０１を所定量回転させながら、放射線発生装置１０３から放出される放射線の放出状態が制御される。放射線発生装置１０３から放出された放射線は、コリメータなどで部分的に遮蔽され、乳房１５を透過して放射線検出器１１で検出される。放射線検出器１１は、検出した放射線を画像信号に変換して信号処理部１０５に出力する。信号処理部１０５は、システム制御装置１００による制御の下に、画像信号に所定の信号処理を施して画像処理部１０６へ送る。システム制御装置１００の中の画像処理部１０６は、各回転位置で撮影された画像情報からＣＴ画像を形成し、これを画像記憶部１０９で記憶する。放射線発生管８と放射線検出器１１を乳房１５の周りを一回転させながら複数枚撮影して得たＣＴ画像を画像合成部１１０で合成して立体画像を生成することで、表示部１１１で立体画像を表示させることができる。
【００２４】
〔第２の例〕
図５及び図６は第２の例に係るマンモＣＴ装置を示している。本例のマンモＣＴ装置は、前述した第１の例と比較して、コリメータ１２の形状と、放射線遮蔽体１４に設けられた突出部１４ａの有無が相違している。本例は、放射線発生管８の放射線放出部１０から放射された放射線による放射線照射領域１３を、コリメータ１２と突出部１４ｄで規定するものとなっている。
【００２５】
本例の特徴点を具体的に説明する。本例におけるコリメータ１２は、放射線透過部１２ｘの三方を区画する第１の規定部材１２ａ、第２の規定部材１２ｂ、第３の規定部材１２ｃを備えた平面コ字形をなしており、放射線透過部１２ｘの前面板７側が開放されている。このコリメータ１２は、第１の規定部材１２ａ、第２の規定部材１２ｂ及び第３の規定部材１２ｃによって、前面板７側以外の放射線照射領域１３の三方を規定するものとなっている。また、放射線遮蔽体１４は、乳房入出口１７と、放射線発生管８の回転に伴う放射線放出部１０の回転経路との間の前面板７の内面全体を覆って設けられている。コリメータ１２の回転経路よりも乳房入出口１７の側の放射線遮蔽体１４部分には、環状の突出部１４ｄが設けられており、前面板７側の放射線照射領域１３をこの突出部１４ｄで規定する構成となっている。
【００２６】
ところで、コリメータ１２を移動させるために、コリメータ１２と放射線遮蔽体１４の間にはある程度の隙間が必要となる。上記の構成とすると、突出部１４ｄによって、前面板７側の放射線照射領域１３を規定すると同時に、この隙間をすり抜けて被検者Ｐへ漏洩する放射線を遮蔽することができる。また、本例におけるコリメータ１２は、前面板７側に規定部材がないため、前面板７に接近した放射線照射領域１３を形成することができる。従って、乳房１５の付根部までの広い範囲の撮影が可能となる。
【００２７】
突出部１４ｄは、第１の規定部材１２ａ及び第２の規定部材１２ｂと放射線遮蔽体１４との間の隙間に対応する量だけ突出していれば足る。しかし、不要な放射線をより遮蔽しやすくするために、コリメータ１２の前面板７と対向する側の端面よりもガントリ２の内方に突出していることが好ましい。
【００２８】
突出部１４ｄと組み合わせるコリメータ１２としては、先に説明した平面ロ字形のものや、図７に示されるものを用いることもできる。図７に示されるコリメータ１２は、第１の規定部材１２ａと第２の規定部材１２ｂを、放射線の遮蔽性を有しない材料で構成された連結部材１２ｙで連結した平面ニ字型をなしている。平面ロ字形のコリメータ１２と突出部１４ｄを組み合わせると、コリメータ１２と放射線遮蔽体１４との間の隙間からの放射線の漏洩を防止することができる。また、平面ニ字形のコリメータ１２と突出部１４ｄの組み合わせの場合、前述の平面コ字形のコリメータ１２と突出部１４ｄのみ合わせと同様の効果を得ることができる。
【００２９】
〔第３の例〕
図８及び図９は第３の例に係るマンモＣＴ装置を示している。本例のマンモＣＴ装置は、前述した第１の例と比較して、コリメータ１２の形状と、コリメータ１２と放射線遮蔽体１４の配置関係が相違している。
【００３０】
本例の特徴点を具体的に説明する。本例における環状の放射線遮蔽体１４は、その内周面が、放射線遮蔽体１４の内径をガントリ２の内方に向かって徐々に拡径させるテーパ面を形成している。一方、本例におけるコリメータ１２は、平面ロ字形である点は第１の例と同様であるが、回転軸Ｄの周りの回転方向に、回転外周側に凸に湾曲している。つまり、第４の規定部材１２ｄが前面板７側に位置し、第３の規定部材１２ｃがその反対側に位置し、第１の規定部材１２ａと第２の規定部材１２ｂが第４の規定部材１２ｄと第３の規定部材１２ｃの端部同士をそれぞれ接続した構造となっている。そして、第１の規定部材１２ａと第２の規定部材１２ｂが、それぞれ回転軸Ｄの周りの回転方向に、回転外周側に凸に湾曲している。また、コリメータ１２の前面板７と対向する側の端面である、第４の規定部材１２ｄの外側面は、放射線遮蔽体１４のテーパ面と同方向に傾斜した傾斜面となっており、放射線遮蔽体１４のテーパ面と対向している。
【００３１】
上記の構成とすると、コリメータ１２の全回転経路に亘り、コリメータ１２の前面板７と対向する側の端部が、コリメータ１２の回転経路より放射線放出部１０の回転経路側に設けられた放射線遮蔽体１４の表面より前面板７の側に入り込んだ状態となる。つまり、放射線遮蔽体１４に接してコリメータ１２を設けた場合に比しても、最大で放射線遮蔽体の厚さ分コリメータ１２を前面板７に近付けることができ、放射線照射領域１２ｘを前面板７に近付けることができる。そして、これにより、放射線照射領域１３を被検者Ｐの乳房１５の付根部まで及ぼすことによる乳房付根部までの放射線撮影が可能となる。また、コリメータ１２での放射線の規制時に発生する散乱放射線の被験者Ｐ側への漏洩をしにくくすることもできる。特に、放射線遮蔽体１４のテーパ面とコリメータ１２の斜面を対向させると、前面板７の内面を露出させることなく、コリメータ１２の端部を放射線遮蔽体１４の表面より前面板７側に入り込ませることができ、放射線の漏洩を抑止しやすいので好ましい。更に、放射線遮蔽体１４のテーパ面とコリメータ１２の斜面をできるだけ接近させやすくするために、コリメータ１２の曲率中心が回転軸Ｄと一致していることが好ましい。
【００３２】
本実施形態においては、コリメータ１２の前面板７に対向する側の端部は、コリメータ１２の全回転経路に亘って、放射線遮蔽体１４の表面より前面板７の側に入り込んでいる配置としているが、本発明はこれに限定されない。本発明は、コリメータ１２の前面板７に対向する側の端部は、少なくとも、コリメータ１２の回転経路において、放射線遮蔽体１４の表面より前面板７の側に入り込んでいる配置とすれば良い。例えば、コリメータ１２、放射線発生管８、及び、放射線検出器１１が、曝射動作の期間外に予備的な回転を行う回転経路を有している場合においては、該予備的な回転経路においては、必ずしも、前述の配置をとる必要は無い。
【符号の説明】
【００３３】
１：マンモ断層撮影装置（マンモＣＴ装置）、２：ガントリ、３：乳房収納部、４：支持部、５：内周板、６：外周板、７：前面板、８：放射線発生管、９：電子銃、１０：放射線放出部、１１：放射線検出器、１２：コリメータ、１２ａ：第１の規定部材、１２ｂ：第２の規定部材、１２ｃ：第３の規定部材、１２ｄ：第４の規定部材、１２ｘ放射線透過部、１２ｙ：連結部材、１３：放射線照射領域、１４：放射線遮蔽体、１５：乳房、１６：放射線副遮蔽体、１００：システム制御装置、１０１：回転駆動部、１０２：駆動回路、１０３：放射線発生装置、１０４：位置検出センサー、１０５：信号処理部、１０６：画像処理部、１０７：回転駆動制御部、１０８：放射線発生管制御部、１０９：画像記憶部、１１０：画像合成部、１１１：表示部、Ｐ：被検者、Ｄ：回転軸
【図１】
2015097693.tif 000003
【図２】
2015097693.tif 000004
【図３】
2015097693.tif 000005
【図４】
2015097693.tif 000006
【図５】
2015097693.tif 000007
【図６】
2015097693.tif 000008
【図７】
2015097693.tif 000009
【図８】
2015097693.tif 000010
【図９】
2015097693.tif 000011